(57)【特許請求の範囲】
【請求項１】
リアルタイム監視モジュール、比較モジュール及びソフトウェアプロンプトモジュールを含む、移動端末による情報の異常アップロードを防止するためのシステムであって、
前記リアルタイム監視モジュールは、リアルタイムに前記移動端末の待機状態及び待機状態での送信電力を監視し、且つ前記待機状態及び待機状態での送信電力を前記比較モジュールに通知するように設定され、
前記比較モジュールは、前記リアルタイム監視モジュールの通知を受信した後、前記移動端末の前記待機状態での送信電力と前記移動端末の理論的な待機状態での送信電力とを比較し、且つ比較結果を前記ソフトウェアプロンプトモジュールに通知するように設定され、
前記ソフトウェアプロンプトモジュールは、比較結果が、前記移動端末の前記待機状態での送信電力が前記移動端末の前記理論的な待機状態での送信電力より大きいとき、ユーザに現在の状態下で悪意のある情報漏洩のリスクが存在することをプロンプトするように設定される移動端末による情報の異常アップロードを防止するためのシステム。
【請求項２】
前記リアルタイム監視モジュールは、
リアルタイムに前記移動端末の各チャネルの稼働状態を監視し、前記各チャネルの稼働状態に基づいて前記移動端末が待機状態にあるかどうかを判断し、且つ前記移動端末が待機状態にあるとき、前記移動端末の前記待機状態での送信電力を計算する、
という方式でリアルタイムに前記移動端末の待機状態及び待機状態での送信電力を監視するように設定される請求項１に記載のシステム。
【請求項３】
それぞれ前記リアルタイム監視モジュール及び前記比較モジュールに接続される記憶モジュールをさらに備え、そのうち、
前記リアルタイム監視モジュールはさらに、前記待機状態を前記記憶モジュールに通知するように設定され、
前記記憶モジュールは、前記リアルタイム監視モジュールの通知を受信した後、自体に記憶している前記移動端末の理論的な待機状態での送信電力を前記比較モジュールに送信するように設定され、
前記比較モジュールはさらに、前記記憶モジュールが送信してきた前記移動端末の前記理論的な待機状態での送信電力を受信し、前記移動端末の前記待機状態での送信電力と前記移動端末の前記理論的な待機状態での送信電力とを比較するように設定される請求項１に記載のシステム。
【請求項４】
前記ソフトウェアプロンプトモジュールはさらに、比較結果が、前記移動端末の前記待機状態での送信電力が前記記憶モジュールによって提供される移動端末の前記理論的な待機状態での送信電力以下であるとき、ユーザに現在の状態下で悪意のある情報漏洩の危険が存在することをプロンプトしないように設定される請求項３に記載のシステム。
【請求項５】
前記リアルタイム監視モジュールは、チャネル監視ユニット、レジスタ、待機状態判定ユニット、電力計算ユニット及び伝送ユニットを含み、そのうち、
前記チャネル監視ユニットは、リアルタイムに前記移動端末の各チャネルの稼働状態を監視し、且つ前記移動端末の各チャネルの稼働状態を前記レジスタに保存するように設定され、
前記レジスタは、前記チャネル監視ユニットが送信してきた前記移動端末の各チャネルの稼働状態を記憶するように設定され、
前記待機状態判定ユニットは、前記レジスタ中における前記移動端末の各チャネルの稼働状態を読み込み、前記各チャネルの稼働状態に基づいて前記移動端末が待機状態にあるかどうかを確定するように設定され、
前記電力計算ユニットは、前記待機状態判定ユニットによって前記移動端末が待機状態にあると確定されたとき、前記移動端末の前記待機状態での送信電力を計算するように設定され、
前記伝送ユニットは、前記移動端末の前記待機状態を前記比較モジュール及び前記記憶モジュールに通知し、且つ前記移動端末の前記待機状態での送信電力を前記比較モジュールに送信するように設定される請求項１に記載のシステム。
【請求項６】
リアルタイムに移動端末の待機状態及び待機状態での送信電力を監視し、前記移動端末が待機状態にあるとき、前記移動端末の前記待機状態での送信電力と前記移動端末の理論的な待機状態での送信電力とを比較し、前記移動端末の前記待機状態での送信電力が前記移動端末の前記理論的な待機状態での送信電力より大きいとき、ユーザに現在の状態下で悪意のある情報漏洩の危険が存在することをプロンプトすることを含む移動端末による情報の異常アップロードを防止する方法。
【請求項７】
前記リアルタイムに前記移動端末の待機状態及び待機状態での送信電力を監視するステップは、
リアルタイムに前記移動端末の各チャネルの稼働状態を監視し、前記各チャネルの稼働状態に基づいて前記移動端末が待機状態にあるかどうかを判断し、且つ前記移動端末が待機状態にあるとき、前記移動端末の前記待機状態での送信電力を計算することを含む請求項６に記載の方法。
【請求項８】
前記移動端末の前記待機状態での送信電力が前記移動端末の前記理論的な待機状態での送信電力以下であるとき、ユーザに現在の状態で悪意のある情報漏洩の危険が存在することをプロンプトしないことをさらに含む請求項６に記載の方法。
【発明の詳細な説明】
【技術分野】
【０００１】
本発明は通信分野に関し、具体的に、移動端末による情報の異常アップロードを防止するためのシステム及び方法に関する。
【背景技術】
【０００２】
携帯電話産業の発展、モバイルインターネットの普及に伴って、各種の携帯電話アプリケーションは生まれ、３Ｇ（３ｒｄ  Ｇｅｎｅｒａｔｉｏｎ、第３世代）技術の発展及び４Ｇ（４ｔｈ  Ｇｅｎｅｒａｔｉｏｎ、第４世代）時代の到来に伴って、技術バックアップの大幅な向上は携帯電話アプリケーション業界の急速な成長をもたらす。ほとんどすべての従来のネットワーキングのアプリケーションはいずれもモバイルインターネットに移植することができ、技術の発展は新しいアプリケーションをもたらすとともに、新しいセキュリティリスクを伴う。従来、スマートフォンの発展は携帯電話上でのアプリケーションをますます豊富にし、ひいてはコンピュータ端末アプリケーションを超える傾向にあり、従来のネットワーキング上に存在する各種の情報セキュリティ問題は徐々にモバイルインターネット分野に拡大され、ひいては新しいセキュリティ脅威に進化し、例えば、スパムメッセージが殺到し、ショートメッセージ詐欺が繰り返され、携帯電話のウイルス等の悪意のあるプログラムが個人のプライバシー、財務情報、又は企業の営業秘密に脅威を与え、このため携帯電話のユーザが経済損失または評判の損失を被ることも珍しくない。
【０００３】
スマートフォン普及率の向上、３Ｇネットワークの完成、及び携帯電話ユーザのネットサーフィンの習慣の形成に伴って、携帯電話セキュリティアプリケーションは未来の携帯電話の重要なアプリケーションの一つになり、携帯電話情報セキュリティも情報セキュリティ分野の研究において焦点を当てられている。
【発明の概要】
【発明が解決しようとする課題】
【０００４】
本発明の実施例は移動端末による情報の異常アップロードを防止するためのシステム及び方法を提供し、ユーザ情報の異常な漏洩を抑止し、移動端末のユーザ情報の安全性を向上させる。
【課題を解決するための手段】
【０００５】
本発明の実施例は移動端末による情報の異常アップロードを防止するためのシステムを提供しており、リアルタイム監視モジュール、比較モジュール及びソフトウェアプロンプトモジュールを備え、そのうち、
前記リアルタイム監視モジュールは、リアルタイムに前記移動端末の待機状態及び待機状態での送信電力を監視し、且つ前記待機状態及び待機状態での送信電力を前記比較モジュールに通知するように設定され、
前記比較モジュールは、前記リアルタイム監視モジュールの通知を受信した後、前記移動端末の前記待機状態での送信電力と前記移動端末の理論的な待機状態での送信電力を比較し、比較結果をソフトウェアプロンプトモジュールに通知するように設定され、及び
前記ソフトウェアプロンプトモジュールは、比較結果は前記移動端末の前記待機状態での送信電力が前記移動端末の前記理論的な待機状態での送信電力より大きいとき、ユーザに現在の状態下で悪意のある情報漏洩のリスクが存在することをプロンプトするように設定される。
【０００６】
前記リアルタイム監視モジュールは、
リアルタイムに前記移動端末の各チャネルの稼働状態を監視し、前記各チャネルの稼働状態に基づいて前記移動端末が待機状態にあるかどうかを判断し、且つ前記移動端末が待機状態にあるとき、前記移動端末の前記待機状態での送信電力を計算する、
という方式でリアルタイムに前記移動端末の待機状態及び待機状態での送信電力を監視するように設定され、
前記システムはさらに、それぞれ前記リアルタイム監視モジュール及び前記比較モジュールに接続される記憶モジュールを備え、そのうち、
前記リアルタイム監視モジュールはさらに、前記待機状態を前記記憶モジュールに通知するように設定され、
前記記憶モジュールは、前記リアルタイム監視モジュールの通知を受信した後、自体に記憶している前記移動端末の理論的な待機状態での送信電力を前記比較モジュールに送信するように設定され、及び
前記比較モジュールはさらに、前記記憶モジュールが送信してきた前記移動端末の前記理論的な待機状態での送信電力を受信し、前記移動端末の前記待機状態での送信電力と前記移動端末の前記理論的な待機状態での送信電力を比較するように設定される。
【０００７】
前記ソフトウェアプロンプトモジュールはさらに、比較結果は前記移動端末の前記待機状態での送信電力が前記記憶モジュールの提供する移動端末の前記理論的な待機状態での送信電力以下であるとき、ユーザに現在の状態下で悪意のある情報漏洩の危険が存在することをプロンプトしないように設定される。
【０００８】
前記リアルタイム監視モジュールは、チャネル監視ユニット、レジスタ、待機状態判定ユニット、電力計算ユニット及び伝送ユニットを備え、そのうち、
前記チャネル監視ユニットは、リアルタイムに前記移動端末の各チャネルの稼働状態を監視し、且つ前記移動端末の各チャネルの稼働状態を前記レジスタ中に保存するように設定され、
前記レジスタは、前記チャネル監視ユニットが送信してきた前記移動端末の各チャネルの稼働状態を記憶するように設定され、
前記待機状態判定ユニットは、前記レジスタ中において前記移動端末の各チャネルの稼働状態を読み込み、前記各チャネルの稼働状態に基づいて前記移動端末が待機状態にあるかどうかを確定するように設定され、
前記電力計算ユニットは、前記待機状態判定ユニットは前記移動端末が待機状態にあると確定したとき、前記移動端末の前記待機状態での送信電力を計算するように設定され、及び
前記伝送ユニットは、前記移動端末の前記待機状態を前記比較モジュール及び前記記憶モジュールに通知し、且つ前記移動端末の前記待機状態での送信電力を前記比較モジュールに送信するように設定される。
【０００９】
本発明の実施例は移動端末による情報の異常アップロードを防止する方法を更に提供しており、
リアルタイムに前記移動端末の待機状態及び待機状態での送信電力を監視し、前記移動端末が待機状態にあるとき、前記移動端末の前記待機状態での送信電力と前記移動端末の理論的な待機状態での送信電力を比較し、前記移動端末の前記待機状態での送信電力が前記移動端末の前記理論的な待機状態での送信電力より大きいとき、ユーザに現在の状態下で悪意のある情報漏洩の危険が存在することをプロンプトすることを含む。
【００１０】
前記リアルタイムに前記移動端末の待機状態及び待機状態での送信電力を監視するステップは、
リアルタイムに前記移動端末の各チャネルの稼働状態を監視し、前記各チャネルの稼働状態に基づいて前記移動端末が待機状態にあるかどうかを判断し、且つ前記移動端末が待機状態にあるとき、前記移動端末の前記待機状態での送信電力を計算することを含む。
【００１１】
前記方法は、
前記移動端末の前記待機状態での送信電力が前記移動端末の前記理論的な待機状態での送信電力以下であるとき、ユーザに現在の状態下で悪意のある情報漏洩の危険が存在することをプロンプトしないことをさらに含む。
【発明の効果】
【００１２】
本発明の実施例による移動端末による情報の異常アップロードを防止するためのシステム及び方法によれば、判定の正確性が高く、ユーザ情報の安全を保護するとともに、頻繁にプロンプトフレームをポップアップしてユーザの不便をもたらすことがなく、ユーザ情報の異常な漏洩を大幅に抑止することができ、それにより移動端末のユーザ情報の安全性を向上させ、且つユーザは移動端末による人々の生活への大きな利便性を楽しめると同時に、心配する必要がなくなる。
【図面の簡単な説明】
【００１３】
【図１】図１は実施例に係る移動端末による情報の異常アップロードを防止するためのシステムの構造図である。
【図２】図２は応用例１に係るリアルタイム監視モジュールの構造図である。
【図３】図３は応用例２に係る記憶モジュールの構造図である。
【図４】図４は実施例に係る移動端末による情報の異常アップロードを防止するための方法のフローチャートである。
【発明を実施するための形態】
【００１４】
以下、図面を参照しながら本発明の実施例を詳細に説明する。なお、衝突がない場合、本願における実施例及び実施例における特徴は互いに任意に組み合せることができる。
【００１５】
図１に示すように、本実施例は移動端末による情報の異常アップロードを防止するためのシステムを提供しており、該システムは、リアルタイム監視モジュール１１、比較モジュール１２及びソフトウェアプロンプトモジュール１３を備える。
【００１６】
前記リアルタイム監視モジュール１１は、リアルタイムに移動端末の待機状態及び待機状態での送信電力を監視し、且つ前記待機状態及び待機状態での送信電力を比較モジュール１２に通知するように設定され、
前記比較モジュール１２は、前記リアルタイム監視モジュール１１の通知を受信した後、前記移動端末の前記待機状態での送信電力と前記移動端末の理論的な待機状態での送信電力を比較し、比較結果をソフトウェアプロンプトモジュール１３に通知するように設定され、及び
前記ソフトウェアプロンプトモジュール１３は、比較結果は前記移動端末の前記待機状態での送信電力が前記移動端末の理論的な待機状態での送信電力より大きいとき、ユーザに現在の状態下で悪意のある情報漏洩のリスクが存在することをプロンプトするように設定される。
【００１７】
この他、前記システムはそれぞれ前記リアルタイム監視モジュール１１及び前記比較モジュール１２に接続される記憶モジュール１４をさらに備え、そのうち、
前記リアルタイム監視モジュール１１はさらに、前記待機状態を前記記憶モジュール１４に通知するように設定され、
前記記憶モジュール１４は、前記リアルタイム監視モジュール１１の通知を受信した後、自体に記憶している前記移動端末の理論的な待機状態での送信電力を前記比較モジュール１２に送信するように設定され、
前記比較モジュール１２はさらに、前記記憶モジュール１４が送信してきた前記移動端末の前記理論的な待機状態での送信電力を受信し、前記移動端末の前記待機状態での送信電力と前記移動端末の前記理論的な待機状態での送信電力を比較するように設定される。
【００１８】
そのうち、前記リアルタイム監視モジュール１１は、
リアルタイムに前記移動端末の各チャネルの稼働状態を監視し、前記各チャネルの稼働状態に基づいて前記移動端末が待機状態にあるかどうかを判断し、且つ前記移動端末が待機状態にあるとき、前記移動端末の待機状態での送信電力を計算する、
という方式でリアルタイムに前記移動端末の待機状態及び待機状態での送信電力を監視するように設定される。
【００１９】
応用例１
応用例１において、図２に示すように、前記リアルタイム監視モジュール１１は、チャネル監視ユニット１１１、レジスタ１１２、待機状態判定ユニット１１３、電力計算ユニット１１４及び伝送ユニット１１５を備え、そのうち、
前記チャネル監視ユニット１１１は、リアルタイムに前記移動端末の各チャネルの稼働状態を監視し、且つ前記移動端末の各チャネルの稼働状態を前記レジスタ１１２中に保存するように設定され、
前記レジスタ１１２は、前記チャネル監視ユニット１１１が送信してきた前記移動端末の各チャネルの稼働状態を記憶するように設定され、
前記待機状態判定ユニット１１３は、前記レジスタ１１２中における前記移動端末の各チャネルの稼働状態を読み込み、前記各のチャネルの稼働状態に基づいて前記移動端末が待機状態にあるかどうかを確定するように設定され、
前記電力計算ユニット１１４は、前記待機状態判定ユニット１１３は前記移動端末が待機状態にあると確定したとき、前記移動端末の前記待機状態での送信電力を計算するように設定され、及び
前記伝送ユニット１１５は、前記移動端末の待機状態を前記比較モジュール１２及び前記記憶モジュール１４に通知し、且つ前記移動端末の前記待機状態での送信電力を前記比較モジュール１２に送信するように設定される。
【００２０】
選択的に、前記伝送ユニット１１５は第一伝送ユニット１１５１及び第二伝送ユニット１１５２をさらに備えてもよく、そのうち、
前記第一伝送ユニット１１５１は、前記移動端末の待機状態を記憶モジュール１４に通知するように設定され、
前記第二伝送ユニット１１５２は、前記移動端末の待機状態及び待機状態での送信電力を比較モジュール１２に通知するように設定される。
【００２１】
応用例２
応用例２において、図３に示すように、前記記憶モジュール１４は、読み込みユニット１４１、記憶ユニット１４２及び伝送ユニット１４３を備え、そのうち、
前記読み込みユニット１４１は、リアルタイム監視モジュール１１が送信してきた移動端末の待機状態を受信した後、記憶ユニット１４２中に記憶している前記移動端末の理論的な待機状態での送信電力を読み込み、且つ該移動端末の理論的な待機状態での送信電力を伝送ユニット１４３に伝送するように設定され、
前記伝送ユニット１４３は、該移動端末の理論的な待機状態での送信電力を比較モジュール１２に送信するように設定される。
【００２２】
さらに、前記ソフトウェアプロンプトモジュール１３はさらに、比較結果は前記移動端末の前記待機状態での送信電力が前記記憶モジュール１４の提供する前記移動端末の理論的な待機状態での送信電力以下であるとき、ユーザに現在の状態下で悪意のある情報漏洩の危険が存在することをプロンプトしないように設定される。
【００２３】
一つの応用例において、例えば、携帯電話は広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））ネットワークで待機すると、間断なくプライマリ共通制御用物理チャネル（Ｐｒｉｍａｒｙ  Ｃｏｍｍｏｎ  Ｃｏｎｔｒｏｌ  Ｐｈｙｓｉｃａｌ  Ｃｈａｎｎｅｌ、Ｐ−ＣＣＰＣＨ）をモニターする必要があり、該チャネル上において常にいくつかのセルオーバーヘッド情報、例えば、どの状態が変更したかを送信し、同時に、携帯電話はさらにページングインジケータチャネル（Ｐａｇｉｎｇ  Ｉｎｄｉｃａｔｏｒ  Ｃｈａｎｎｅｌ、ＰＩＣＨ）をモニターする必要があり、該ＰＩＣＨは携帯電話にセカンダリ共通制御用物理チャネル（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ、Ｓ−ＣＣＰＣＨ）上にこの携帯電話のページングメッセージがあるかどうかを知らせる。待機するときにかかわるチャネルは、下りリンクシステムコントロール及び放送情報を保持することに用いられ、そのうち該情報の内容がセルシステムメッセージを転送することであるＰ−ＣＣＰＣＨと、下りリンク公共指示チャネルに属し、携帯電話にページングインジケータを提供し、且つユーザ装置（Ｕｓｅｒ  Ｅｑｕｉｐｍｅｎｔ、ＵＥ）がＳ−ＣＣＰＣＨ上にページング（Ｐａｇｉｎｇ）情報を受信するように通知することに用いられるＰＩＣＨと、基地局に具体的なアクセス要求情報を送信することに用いられる物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）と、専用物理コントロールチャネル（Ｄｅｄｉｃａｔｅｄ  Ｐｈｙｓｉｃａｌ  Ｃｏｎｔｒｏｌ  Ｃｈａｎｎｅｌ、ＤＰＣＣＨ）及び専用物理データチャネル（Ｄｅｄｉｃａｔｅｄ  Ｐｈｙｓｉｃａｌ  Ｄａｔａ  Ｃｈａｎｎｅｌ、ＤＰＤＣＨ）を備え、そのうちＵＥが専用物理チャンネル上に登録または位置更新を行う専用物理チャンネル（Ｄｅｄｉｃａｔｅｄ  Ｐｈｙｓｉｃａｌ  Ｃｈａｎｎｅｌ、ＤＰＣＨ）とを備える。
【００２４】
応用例１におけるリアルタイム監視モジュール１１はリアルタイムに上記各チャネルの稼働状態を監視し、各チャネルの稼働状態に基づいて携帯電話が待機状態にあるかどうかを判断し、記憶モジュール１４は携帯電話の出荷段階に携帯電話の待機状態のときの理論上電力値（第３世代パートナーシッププロジェクト、３ｒｄ  Ｇｅｎｅｒａｔｉｏｎ  Ｐａｒｔｎｅｒｓｈｉｐ  Ｐｒｏｊｅｃｔ、３ＧＰＰ）中においてＷＣＤＭＡ（登録商標）の最小送信電力値が−５０ｄＢｍより小さいことが要求され、研究開発段階のテスト結果に基づいて、通常は、この値より小さく（例えば−５５ｄＢｍ）、このとき、待機電力値の上限が−５５ｄＢｍであるように設定され、上記のチャネルに対する監視により携帯電話が待機状態にあると判断した後、携帯電話の現在の待機状態での実際送信電力が−５５ｄＢｍより大きい場合、携帯電話が待機するときに異常大電力（ハイパワー）が発生すると判断し、情報の異常アップロードが発生する可能性があり、ソフトウェアプロンプトモジュール１３はソフトウェアプログラムを呼び出し、ソフトウェアはプロンプトフレームをポップアップし、ユーザに現在の状態で携帯電話送信電力が異常であることをプロンプトし、ユーザに措置を取って携帯電話情報を漏洩から保護することをプロンプトする。
【００２５】
図４に示すように、本実施例は移動端末による情報の異常アップロードを防止する方法を提供しており、該方法は下記ステップを含む。
【００２６】
Ｓ１０１：リアルタイムに移動端末の待機状態及び待機状態での送信電力を監視する。
【００２７】
そのうち、リアルタイムに前記移動端末の各チャネルの稼働状態を監視し、前記各チャネルの稼働状態に基づいて前記移動端末が待機状態にあるかどうかを判断し、且つ前記移動端末が待機状態にあるとき、前記移動端末の待機状態での送信電力を計算する。
【００２８】
Ｓ１０２：移動端末が待機状態にあるとき、前記移動端末の前記待機状態での送信電力と前記移動端末の理論的な待機状態での送信電力を比較する。
【００２９】
Ｓ１０３：前記移動端末の前記待機状態での送信電力が前記移動端末の理論的な待機状態での送信電力より大きいとき、ユーザに現在の状態下で悪意のある情報漏洩の危険が存在することをプロンプトする。
【００３０】
また、前記移動端末の前記待機状態での送信電力は前記記憶モジュールが提供する前記移動端末の理論的な待機状態での送信電力以下であるとき、ユーザに現在の状態下で悪意のある情報漏洩の危険が存在することをプロンプトしない。
【００３１】
関連技術において、移動端末による情報の異常アップロードを防止することに対して、流行しているのは「３６０手機安全衛士」であり、それは情報を暗号化する等の方式で実現され、すなわち、携帯電話の情報が漏洩されると、暗号化の方式で漏洩され、つまり、秘密を漏らした後、パスワードが解かれると、情報が同様に漏洩され、且つ、通常は、ユーザが設定したパスワードのセキュリティレベルは高くなく、容易に解くことができる。しかしながら、上記実施例から見れば、関連技術に対して、上記実施例において提供する移動端末による情報の異常アップロードを防止するためのシステム及び方法は、ハードウェアの角度から情報セキュリティ性に配慮し、端末側の情報の漏洩を阻止し、言い換えれば、携帯電話上での情報は確認した後送信されたのではないと、情報は伝送されない、このように発生源から情報漏洩の問題を解決し、より便利で安全である。同時に、ユーザ情報の安全を保護するとともに、頻繁にプロンプトフレームをポップアップしてユーザの不便をもたらすことがなく、ユーザ情報の異常な漏洩を大幅に克服することができ、それにより移動端末のユーザ情報の安全性を向上させ、且つユーザは移動端末による人々の生活への大きな利便性を楽しめると同時に、心配する必要がなくなる。
【００３２】
一般の当業者は、上記方法における全部又は一部のステップをプログラムによって関連ハードウェアに命令を出して実現させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明の実施例はあらゆる特定の形式のハードウェアとソフトウェアの組合せに限定されない。
【００３３】
以上は本発明の好適な実施例に過ぎず、本発明の保護範囲を制限するものではない。本発明の発明内容に基づいて、さらにほかの複数種の実施例を有してもよく、本発明の趣旨とその実質を逸脱しない場合に、本分野に詳しい当業者は本発明の実施例に基づいて各種の相応する変更又は変形を行うことができ、本発明の趣旨及び原則の下で行ったいかなる変更、等価置換、改良等はいずれも本発明の保護範囲に含まれる。
【産業上の利用可能性】
【００３４】
本発明の実施例に係る移動端末による情報の異常アップロードを防止するためのシステム及び方法は、判定の正確性が高く、ユーザ情報の安全を保護するとともに、頻繁にプロンプトフレームをポップアップしてユーザの不便をもたらすことがなく、ユーザ情報の異常な漏洩を大幅に抑止することができ、それにより移動端末のユーザ情報の安全性を向上させ、且つユーザは移動端末による人々の生活への大きな利便性を楽しめると同時に、心配する必要がなくなる。
【図１】
0005956069.tif 000002
【図２】
0005956069.tif 000003
【図３】
0005956069.tif 000004
【図４】
0005956069.tif 000005